(57)【要約】【目的】任意のトラックにプライオリティを与えることができるようにし、再生時に容易にそのトラックをアクセスすることができるようにする。【構成】  複数の離散的なパーツから構成されるトラックが複数記録されるとともに各パーツの連結関係を示すリンク情報と任意のトラックが重要であることを識別する識別コードとが記録された記録媒体を再生する再生手段と、識別コードに基づいて複数のトラックのうち重要なトラックを判別し、重要であると識別されたトラックのみをリンク情報に基づいて順次再生させる制御手段とを有する。【選択図】      図４
2004355811.tif 000002
【特許請求の範囲】
【請求項１】
複数の離散的なパーツから構成されるトラックが複数記録されるとともに各パーツの連結関係を示すリンク情報と任意のトラックが重要であることを識別する識別コードとが記録された記録媒体を再生する再生手段と、
上記識別コードに基づいて上記複数のトラックのうち重要なトラックを判別し、重要であると識別されたトラックのみを上記リンク情報に基づいて順次再生させる制御手段と
を有する再生装置。
【請求項２】
上記記録媒体は、トラックを示すトラックナンバと上記識別コードとが対応付けて記録され、
上記制御手段は、上記識別データと上記トラックナンバに基づいて上記複数のトラックのうち重要なトラックを判別し、重要であると識別されたトラックのみを再生さえる制御手段と
を有する請求項１記載の再生装置。
【請求項３】
重要トラックを指定する操作手段を更に有し、
上記制御手段は、重要トラック再生中に上記操作手段が操作された場合、上記複数のトラックのうち他の重要なトラックを判別し、当該再生中の重要トラック以外の他の重要トラックの再生を実行させることを特徴とする請求項１記載の再生装置。
【請求項４】
上記制御手段にて重要なトラックと判別された場合、上記識別コードを表示させる表示手段
を有する請求項１記載の再生装置。
【請求項５】
重要なトラックのトラックナンバを記憶する記憶手段を更に有し、
上記制御手段は、上記記録媒体に記録された上記重要なトラックのトラックナンバを上記記憶手段に記憶させるとともに、該記憶手段に記憶された重要なトラックのトラックナンバから上記重要なトラックを判別すること
を特徴とする請求項１記載の再生装置。
【請求項６】
記録媒体より複数の離散的なパーツから構成されるトラックを複数読み出すとともに、各パーツの連結関係を示すリンク情報と任意のトラックが重要であることを識別する識別コードとを読み出す読出しステップと、
上記識別コードに基づいて上記複数のトラックのうち重要なトラックを判別する判別ステップと、
重要であると判別されたトラックのみを上記リンク情報に基づいて順次再生させる再生ステップと
から構成される再生方法。
【発明の詳細な説明】
【技術分野】
【０００１】
本発明はトラック単位の音声データの記録／再生動作を管理する管理情報を備えた記録媒体に対する再生装置及び再生方法に関するものである。
【背景技術】
【０００２】
ユーザーが音楽データ等を記録することのできるデータ書き換え可能なディスク状記録メディアとしてミニディスクシステムが知られており、このミニディスクシステムでは、既に楽曲等のデータが記録されているエリアや未記録エリアを管理するデータ領域（ユーザーＴＯＣ，以下Ｕ−ＴＯＣという）が設けられ、例えば記録、編集、消去等の操作に応じてこの管理データも書き換えられるようになされている。
【０００３】
そして、例えば或る楽曲の録音を行なおうとする際には、録音装置はＵ−ＴＯＣからディスク上の未記録エリアを探し出し、ここに音声データを記録していくようになされている。また、再生装置においては再生すべき楽曲（トラック）が記録されているエリアをＵ−ＴＯＣから判別し、そのエリアにアクセスして再生動作を行なう。
【０００４】
また、このような記録再生システムでは、Ｕ−ＴＯＣを更新することにより、１つのトラックを複数トラックに分割したり、複数トラックを１つのトラックとして連結させることは容易に実現できる。
【０００５】
例えば記録装置にマイクロホンを接続して会議等を録音する場合を考えると、録音開始から終了までが１つのトラックとして録音されてしまうが、録音時間（１トラック）が長いものであった場合、そのままでは再生時に不便である。つまり、会議のなかで聞き直したい箇所を探すために高速再生などで再生位置を送っていかなければならず、面倒な操作となる。ところが、このトラックを分割して複数トラックとしておけば、トラックアクセスにより容易にアクセスでき、ユーザーは聞きたい箇所をすぐに探し出すことができる。トラック単位では、その開始位置（アドレス）はＵ−ＴＯＣに記録されるため、アクセス動作を実行できるためである。
このようなトラック分割は録音後に行なうこともできるし、また録音中に所定の操作を行なうことで、その時点からの録音内容を次のトラックとする方式も開発されている。このように録音中などにユーザーが任意にトラックを区切っていくことで、再生時にトラックに対する高速アクセス機能が有効活用され、非常に便利なものとなる。
【発明の開示】
【発明が解決しようとする課題】
【０００６】
ところで、ユーザーがミニディスクシステムにおいて会議やインタビューなどの録音を行なう場合を例にあげると、例えば重要な部分などでは、単にトラックを分割しておくだけではなく、他のトラックとは区別するためのプライオリティを付与し、そして再生装置では、プライオリティが与えられたトラックについてのアクセスを実行できるようにしたいという要望がある。
このようにしておくと、単に各トラックを区切っていくだけでなく、そのなかでもユーザーが重要と判断したトラックを区別しておき、重要トラックを聞きたい場合には、再生時にその重要トラックについてアクセスさせることで、操作はより迅速でしかも手間のかからないものとなる。
ところが、Ｕ−ＴＯＣ上では各トラックについて単純にスタートアドレスとエンドアドレスを記録していくものであるため、重要トラックと通常トラックの区別ができず、任意のトラックにプライオリティを与えることはできなかった。
【課題を解決するための手段】
【０００７】
本発明はこのような事情に鑑みて、任意のトラックにプライオリティを与えることで、再生時に容易にそのトラックをアクセスすることができるようにすることを目的とする。
【０００８】
このために本発明の再生装置は、複数の離散的なパーツから構成されるトラックが複数記録されるとともに各パーツの連結関係を示すリンク情報と任意のトラックが重要であることを識別する識別コードとが記録された記録媒体を再生する再生手段と、上記識別コードに基づいて上記複数のトラックのうち重要なトラックを判別し、重要であると識別されたトラックのみを上記リンク情報に基づいて順次再生させる制御手段とを有する。
【０００９】
さらに、上記記録媒体は、トラックを示すトラックナンバと上記識別コードとが対応付けて記録され、上記制御手段は、上記識別データと上記トラックナンバに基づいて上記複数のトラックのうち重要なトラックを判別し、重要であると識別されたトラックのみを再生さえる制御手段とを有する。
また、重要トラックを指定する操作手段を更に有し、上記制御手段は、重要トラック再生中に上記操作手段が操作された場合、上記複数のトラックのうち他の重要なトラックを判別し、当該再生中の重要トラック以外の他の重要トラックの再生を実行させる。
さらに、上記制御手段にて重要なトラックと判別された場合、上記識別コードを表示させる表示手段を有する。
さらに、重要なトラックのトラックナンバを記憶する記憶手段を有し、上記制御手段は、上記記録媒体に記録された上記重要なトラックのトラックナンバを上記記憶手段に記憶させるとともに、該記憶手段に記憶された重要なトラックのトラックナンバから上記重要なトラックを判別する。
【００１０】
また本発明の再生方法は、記録媒体より複数の離散的なパーツから構成されるトラックを複数読み出すとともに、各パーツの連結関係を示すリンク情報と任意のトラックが重要であることを識別する識別コードとを読み出す読出しステップと、上記識別コードに基づいて上記複数のトラックのうち重要なトラックを判別する判別ステップと、重要であると判別されたトラックのみを上記リンク情報に基づいて順次再生させる再生ステップとから構成される。
【発明の効果】
【００１１】
以上説明したように本発明は記録媒体より複数の離散的なパーツから構成されるトラックを複数読み出すとともに、各パーツの連結関係を示すリンク情報と任意のトラックが重要であることを識別する識別コードとを読み出し、識別コードに基づいて複数のトラックのうち重要なトラックを判別し、重要であると判別されたトラックのみをリンク情報に基づいて順次再生させるように構成されている。このため、ユーザーは任意に或るトラックを重要トラックとして指定することで、再生時に容易にそのトラックをアクセスさせて再生させることができ、使用性は著しく向上されるという効果がある。
【００１２】
さらに、表示手段において、重要トラック指定の際の表示や重要トラック再生時にそのトラックが重要トラック指定されていることを示す表示が行なわれることで、ユーザーの操作確認や重要トラックの確認も容易となるという利点がある。
【発明を実施するための最良の形態】
【００１３】
以下、図１〜図１６を用いて本発明の実施例として、光磁気ディスク（ミニディスク）に対応した記録再生装置を例にあげ、次の順序で説明する。
１．記録再生装置の構成。
２．Ｐ−ＴＯＣセクター。
３．Ｕ−ＴＯＣセクター。
・Ｕ−ＴＯＣセクター０。
・Ｕ−ＴＯＣセクター１。
４．トラック分割動作。
５．再生時のアクセス動作。
【００１４】
１．記録再生装置の構成。
図１は実施例の記録再生装置の外観例を示すものであり、３０は記録再生装置全体を示す。
この記録再生装置３０には蓋部３１が設けられ、蓋部３１が開かれることで内部にディスクを収納できるようにされている。
また２２は液晶パネルなどによって形成される表示部であり、動作状態、トラックナンバ、時間等の表示が行なわれる。
【００１５】
記録再生装置３０の筺体上には各種操作キーが設けられる。３２はイジェクトスイッチであり、このイジェクトスイッチ３２の操作により蓋部３１が開かれる。３３は再生キーであり、この再生キー３３が押されることで電源がオンとなり、再生が開始される。
３４，３５はＡＭＳキー（頭だしアクセス／サーチキー）である。再生時にＡＭＳキー３４が押されることで、次のトラックの先頭位置にアクセスされ、またＡＭＳキー３５が押されることで、現在のトラックもしくは前のトラックの先頭位置にアクセスされる。また、ＡＭＳキー３４，３５は継続して押し続けることで、早送り又は早戻し再生が行われる。
３６は停止キーであり、電源オフキーも兼ねている。３７は一時停止キー、３８は音量アップ／ダウンキーである。
３９はトラックマークキーであり、録音時にトラックマークキー３９が押されると、その地点でトラックが分割される。４０は文字入力モードキーである。
また４１は録音キーを示す。
【００１６】
この記録再生装置３０で録音を行なう場合には、マイク入力端子１８に、マイクロホン５０を接続することになる。
また、記録再生装置３０からの再生音声、もしくは録音時のモニタ音声はヘッドホン４３から出力される。ヘッドホン４３はそのプラグ部４２をヘッドホン端子１７に接続することになる。
【００１７】
またこのヘッドホン４３にはリモートコントロール部４４が設けられており、記録再生装置３０を遠隔操作することができるようにされている。このためヘッドホン端子１７には音声出力端子とともにリモコン入力端子も設けられており、リモートコントロール部４４からの操作情報が記録再生装置３０に供給されるようになされている。
リモートコントロール部４４には押圧位置により再生／前方アクセス／後方アクセスが区別される再生／ＡＭＳキー４５、停止キー４６、一時停止キー４７、トラックマークキー４８などが設けられている。
【００１８】
この記録再生装置の要部のブロック図は図２に示される。
図２において、１は例えば音声データトラックが記録されている光磁気ディスクを示している。
ディスク１に記録されている楽曲等の音声データは、44.1KHz サンプリングで１６ビット量子化によるデジタルデータが変形ＤＣＴ（Modified Discreate Cosine Transform ）圧縮技術により約１／５に圧縮され、さらにＥＦＭ変調及びＣＩＲＣエンコードが施されたデータとされている。
【００１９】
この光磁気ディスク１はスピンドルモータ２により回転駆動される。３は光磁気ディスク１に対して記録／再生時にレーザ光を照射する光学ヘッドであり、記録時には記録トラックをキュリー温度まで加熱するための高レベルのレーザ出力をなし、また再生時には磁気カー効果により反射光からデータを検出するための比較的低レベルのレーザ出力をなす。
【００２０】
このため、光学ヘッド３はレーザ出力手段としてのレーザダイオード、偏向ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００２１】
また、６ａは供給されたデータによって変調された磁界を光磁気ディスクに印加する磁気ヘッドを示し、光磁気ディスク１を挟んで光学ヘッド３と対向する位置に配置されている。光学ヘッド３全体及び磁気ヘッド６ａは、スレッド機構５によりディスク半径方向に移動可能とされている。
【００２２】
再生動作によって、光学ヘッド３により光磁気ディスク１から検出された情報はＲＦアンプ７に供給される。ＲＦアンプ７は供給された情報の演算処理により、再生ＲＦ信号、トラッキングエラー信号、フォーカスエラー信号、グルーブ情報（光磁気ディスク１にプリグルーブ（ウォブリンググルーブ）として記録されている絶対位置情報）等を抽出する。そして、抽出された再生ＲＦ信号はエンコーダ／デコーダ部８に供給される。また、トラッキングエラー信号、フォーカスエラー信号はサーボ回路９に供給される。
グルーブ情報はアドレスデコーダ１０に供給されて復調及びデコード処理によりアドレス情報として出力される。アドレス情報はマイクロコンピュータによって構成されるシステムコントローラ１１に供給される。
【００２３】
サーボ回路９は供給されたトラッキングエラー信号、フォーカスエラー信号や、システムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御をなし、またスピンドルモータ２を一定線速度（ＣＬＶ）に制御する。
【００２４】
再生ＲＦ信号はエンコーダ／デコーダ部８でＥＦＭ復調、ＣＩＲＣ等のデコード処理された後、メモリコントローラ１２によって、一旦、Ｄ−ＲＡＭにより形成されているバッファＲＡＭ１３に書き込まれる。なお、光学ヘッド３による光磁気ディスク１からのデータの読み取り及び光学ヘッド３からバッファＲＡＭ１３までの系における再生データの転送は1.41Mbit/secで、しかも間欠的に行なわれる。
【００２５】
バッファＲＡＭ１３に書き込まれたデータは、再生データの転送が0.3Mbit/sec となるタイミングで読み出され、エンコーダ／デコーダ部１４に供給される。そして、変形ＤＣＴ処理による音声圧縮処理に対するデコード処理により量子化１６ビットの出力デジタル信号とされる。
【００２６】
出力デジタル信号は、Ｄ／Ａ変換器１５によってアナログ信号とされ増幅回路１６に供給される。そして増幅回路１６からヘッドホン端子１７における音声出力端子１７ａから、接続されたヘッドホンに供給される。
なお図示していないが、ライン出力端子やデジタル出力端子が設けられてもよい。
【００２７】
また、システムコントローラ１１は光学ヘッド３におけるレーザダイオードの動作を制御するレーザ制御信号ＳLPを出力しており、レーザダイオードの出力をオン／オフ制御するとともに、オン制御時としては、レーザパワーが比較的低レベルである再生時の出力と、比較的高レベルである記録時の出力とを切り換えることができるようになされている。
【００２８】
光磁気ディスク１に対して記録動作が実行される際には、マイク入力端子１８から入力されたアナログ音声信号がマイクアンプ／ＡＧＣ回路１９に供給される。そして、Ａ／Ｄ変換器２０において44,1KHz サンプリング、量子化１６ビットのデジタルデータとされた後、エンコーダ／デコーダ部１４に供給される。
なお、図示していないが、ライン入力端子、デジタル入力端子が設けられてもよい。
【００２９】
エンコーダ／デコーダ部１４では入力されたデジタル音声信号に対して、変形ＤＣＴ処理による音声圧縮エンコードを施す。エンコーダ／デコーダ部１４によって圧縮された記録データはメモリコントローラ１２によって一旦バッファＲＡＭ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００３０】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００３１】
２１はユーザー操作に供されるキーが設けられた操作入力部であり、上述した操作キー３３〜４１がこれに相当する。
【００３２】
システムコントローラ１１は記録／再生／編集等の各種動作を制御するためにマイクロコンピュータによって構成されている。１１ａはシステムコントローラ１１内におけるＲＡＭであり、Ｓ−ＲＡＭによって構成されている。
Ｓ−ＲＡＭ１１ａに対してはメモリバックアップ構成がとられている。
また、上述したようにヘッドホン４３にはリモートコントロール部４４が設けられているが、リモートコントロール部４４からの操作情報はヘッドホン端子１７におけるリモコン入力端子１７ｂからシステムコントローラ１１に供給されることになる。
またシステムコントローラ１１は表示部２２に対して、再生時や録音時の動作状況、再生／録音中のトラックナンバ、進行時間、モード状態等の表示動作を制御する。
【００３３】
ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）は、バッファＲＡＭ１３に読み込まれて保持される。例えばディスク装填時にこの読み出しが行なわれる。このためバッファＲＡＭ１３は図３のように、音声データのバッファエリアと、ＴＯＣ情報を保持するエリアが分割設定されている。例えばＴＯＣ情報を保持するエリアとして『０００００ｈ』〜『０２４ＢＦｈ』が用意され、４セクター分のＴＯＣ情報を記憶できるようになされている。
なお、システムコントローラ１１はバッファＲＡＭ１３から、さらにＰ−ＴＯＣ、Ｕ−ＴＯＣのうち必要な情報をＳ−ＲＡＭ１１ａに読み込み、Ｓ−ＲＡＭ１１ａに読み込んだ管理情報に応じてディスク１上の記録可能な領域や、再生すべきトラックのアドレスを判別して、各種制御を行なうようにしてもよい。
【００３４】
また、Ｕ−ＴＯＣはデータの記録や消去に応じて編集されて書き換えられるものであるが、システムコントローラ１１は記録／消去動作のたびにこの編集処理をバッファＲＡＭ１３に記憶されたＵ−ＴＯＣ情報に対して行ない、さらに所定の時点でそのバッファＲＡＭ１３上のＵ−ＴＯＣをディスク１のＵ−ＴＯＣエリアに記録するようにしている。
【００３５】
２．Ｐ−ＴＯＣセクター。
ここで、ディスク１においてトラックの記録／再生動作などの管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク１が再生専用の光ディスクであるプリマスタードディスクの場合は、Ｐ−ＴＯＣによってＲＯＭ化されて記録されている楽曲の管理も行なうことができるようになされている。
【００３６】
図１３はＰ−ＴＯＣ用とされる領域（例えばディスク最内周側のＲＯＭエリア）において繰り返し記録されるＰ−ＴＯＣ情報の１つのセクター（セクター０）を示している。なお、Ｐ−ＴＯＣセクターはセクター０〜セクター４まで存在するが、セクター１以降はオプションとされている。
【００３７】
Ｐ−ＴＯＣセクター０のデータ領域（４バイト×588 の２３５２バイト）は、先頭位置にオール０又はオール１の１バイトデータによって成る同期パターンを及びクラスタアドレス及びセクターアドレスを示すアドレス等が４バイト付加され、以上でヘッダとされる。
また、ヘッダに続いて所定アドレス位置に『ＭＩＮＩ』という文字に対応したアスキーコードによる識別ＩＤが付加され、Ｐ−ＴＯＣの領域であることが示される。
【００３８】
さらに、続いてディスクタイプや録音レベル、記録されている最初のトラックのトラックナンバ（First TNO)、最後のトラックのトラックナンバ（Last TNO) 、リードアウトスタートアドレスＬＯA 、パワーキャルエリアスタートアドレスＰＣA 、セクター使用状況（Used sectors）、Ｕ−ＴＯＣのスタートアドレスＵＳＴA 、録音可能なエリア（レコーダブルユーザーエリア）のスタートアドレスＲＳＴA 等が記録される。
【００３９】
続いて、ピット形態で記録されている各楽曲等を後述する管理テーブル部におけるパーツテーブルに対応させるテーブルポインタ(P-TNO1 〜P-TNO255) を有する対応テーブル指示データ部が用意されている。
【００４０】
そして対応テーブル指示データ部に続く領域には、テーブルポインタ(P-TNO1 〜P-TNO255) に対応されることになる、(01h) 〜(FFh) までの２５５個のパーツテーブルが設けられた管理テーブル部が用意される。なお本明細書において『ｈ』を付した数値はいわゆる１６進表記のものである。
それぞれのパーツテーブルには、或るパーツについて起点となるスタートアドレス、終端となるエンドアドレス、及びそのパーツのモード情報（トラックモード）が記録できるようになされている。
【００４１】
各パーツテーブルにおけるトラックのモード情報とは、そのパーツが例えばオーバーライト禁止やデータ複写禁止に設定されているか否かの情報や、オーディオ情報か否か、モノラル／ステレオの種別などが記録されている。
【００４２】
管理テーブル部における(01h) 〜(FFh) までの各パーツテーブルは、対応テーブル指示データ部のテーブルポインタ (P-TNO1〜P-TNO255) によって、そのパーツの内容が示される。つまり、第１曲目の楽曲についてはテーブルポインタP-TNO1として或るパーツテーブル（例えば(01h))が記録されており、この場合パーツテーブル(01h) のスタートアドレスは第１曲目の楽曲の記録位置のスタートアドレスとなり、同様にエンドアドレスは第１曲目の楽曲が記録された位置のエンドアドレスとなる。さらに、トラックモード情報はその第１曲目についての情報となる。
なお、実際にはテーブルポインタには所定の演算処理によりＰ−ＴＯＣセクター０内のバイトポジションで或るパーツテーブルを示すことができる数値が記されている。
【００４３】
同様に第２曲目についてはテーブルポインタP-TNO2に示されるパーツテーブル（例えば(02h) ）に、その第２曲目の記録位置のスタートアドレス、エンドアドレス、及びトラックモード情報が記録されている。
以下同様にテーブルポインタはP-TNO255まで用意されているため、Ｐ−ＴＯＣ上では第２５５曲目まで管理可能とされている。
そして、このようにＰ−ＴＯＣセクター０が形成されることにより、例えば再生時において、所定の楽曲をアクセスして再生させることができる。
【００４４】
なお、記録／再生可能な光磁気ディスクの場合いわゆるプリマスタードの楽曲エリアが存在しないため、上記した対応テーブル指示データ部及び管理テーブル部は用いられず（これらは続いて説明するＵ−ＴＯＣで管理される）、従って各バイトは全て『００ｈ』とされている。
ただし、全ての楽曲がＲＯＭ形態（ピット形態）で記録されているプリマスタードタイプのディスク、及び楽曲等が記録されるエリアとしてＲＯＭエリアと光磁気エリアの両方を備えたハイブリッドタイプのディスクについては、そのＲＯＭエリア内の楽曲の管理に上記対応テーブル指示データ部及び管理テーブル部が用いられる。
【００４５】
３．Ｕ−ＴＯＣセクター。
続いてＵ−ＴＯＣの説明としてＵ−ＴＯＣのセクター０，セクター１について行なう。
なお、Ｕ−ＴＯＣセクターとしてはセクター０〜セクター７まで設けることができるが、セクター２は録音日時を記録するエリア、またセクター４は文字情報として漢字コードなどを記録するエリアとされる。これらは本実施例とは直接関係ないため、説明を省略する。ただし、セクター２やセクター４の管理構造としては以下説明するセクター０，セクター１と同様に各トラックに対応して情報を記録することができるものである。本実施例では後述するように重要トラックとしての識別コードをセクター１に記録するものであるが、このセクター１に代えてセクター２やセクター４もしくは他のセクターを利用して識別コードを記録するようにすることも可能である。
【００４６】
・Ｕ−ＴＯＣセクター０。
図１４はＵ−ＴＯＣセクター０のフォーマットを示しており、主にユーザーが録音を行なった楽曲や新たに楽曲が録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００４７】
図１４に示すＵ−ＴＯＣセクター０には、Ｐ−ＴＯＣと同様にまずヘッダが設けられ、続いて所定アドレス位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００４８】
さらに、ユーザーが録音を行なって記録されている楽曲の領域やフリーエリア等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００４９】
そしてテーブルポインタ(P-DFA〜P-TNO255) に対応させることになる管理テーブル部として(01h) 〜(FFh) までの２５５個のパーツテーブルが設けられ、それぞれのパーツテーブルには、上記図１３のＰ−ＴＯＣセクター０と同様に或るパーツについて起点となるスタートアドレス、終端となるエンドアドレス、そのパーツのモード情報（トラックモード）が記録されている。
さらにこのＵ−ＴＯＣセクター０の場合、各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
【００５０】
この種の記録再生装置では、１つの楽曲のデータを物理的に不連続に、即ち複数のパーツにわたって記録されていてもパーツ間でアクセスしながら再生してい
くことにより再生動作に支障はないため、ユーザーが録音する楽曲等については、録音可能エリアの効率使用等の目的から、複数パーツにわけて記録する場合もある。
【００５１】
そのため、リンク情報が設けられ、例えば各パーツテーブルに与えられたナンバ(01h) 〜(FFh) によって、連結すべきパーツテーブルを指定することによってパーツテーブルが連結できるようになされている。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
なお、プリマスタードディスク等においてピット形態で記録される楽曲等については通常パーツ分割されることがないため、前記図１３のとおりＰ−ＴＯＣセクター０においてリンク情報はすべて『(00h) 』とされている。
【００５２】
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
【００５３】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００５４】
テーブルポインタP-DFA は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『(00h) 』とされ、以降リンクなしとされる。
【００５５】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００５６】
テーブルポインタP-FRA は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『(00h) 』となるパーツテーブルまで順次指定されている。
【００５７】
図１５にパーツテーブルにより、フリーエリアとなるパーツの管理状態を模式的に示す。これはパーツ(03h)(18h)(1Fh)(2Bh)(E3h) がフリーエリアとされている時に、この状態が対応テーブル指示データP-FRA に引き続きパーツテーブル(03h)(18h)(1Fh)(2Bh)(E3h) のリンクによって表現されている状態を示している。なお上記した欠陥領域や未使用パーツテーブルの管理形態もこれと同様となる。
【００５８】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体がフリーエリアであることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され・・・・・・、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００５９】
テーブルポインタP-TNO1〜P-TNO255は、光磁気ディスク１にユーザーが記録を行なった楽曲について示しており、例えばテーブルポインタP-TNO1では１曲目のデータが記録された１又は複数のパーツのうちの時間的に先頭となるパーツが示されたパーツテーブルを指定している。
例えば１曲目とされた楽曲がディスク上でトラックが分断されずに、つまり１つのパーツで記録されている場合は、その１曲目の記録領域はテーブルポインタP-TNO1で示されるパーツテーブルにおけるスタート及びエンドアドレスとして記録されている。
【００６０】
また、例えば２曲目とされた楽曲がディスク上で複数のパーツに離散的に記録されている場合は、その楽曲の記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図１５と同様の形態）。このように例えば２曲目を構成するデータが記録された全パーツが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なパーツから連続的な音楽情報を取り出したり、記録エリアを効率使用した記録が可能になる。
【００６１】
・Ｕ−ＴＯＣセクター１。
図１６はＵ−ＴＯＣセクター１のフォーマットを示しており、主にユーザーが録音を行なった楽曲に曲名をつけたり、ディスクタイトルをつける場合に、入力された文字情報を記録するデータ領域とされる。
【００６２】
このＵ−ＴＯＣセクター１には、記録された各楽曲に相当する文字スロット指示データ部としてスロットポインタP-TNA1〜P-TNA255が用意される。またこのスロットポインタP-TNA1〜P-TNA255によって指定される文字スロット部が用意される。文字スロット部には１単位８バイトで２５５単位のスロット(01h) 〜(FFh) が形成されており、上述したＵ−ＴＯＣセクター０とほぼ同様の形態で文字データを管理する。
【００６３】
スロット(01h) 〜(FFh) にはディスクタイトル（ディスクネーム）や曲名（トラックネーム）としての文字情報がアスキーコードで記録される。なお、スロット(01h) の前の８バイトとなるスロットはディスクネームの専用エリアとされている。
【００６４】
そして、例えばスロットポインタP-TNA1によって指定されるスロットには第１曲目に対応してユーザーが入力した文字が記録されていることになる。
また、スロットがリンク情報によりリンクされることで、１つの楽曲に対応する文字入力は７バイト（７文字）より大きくなっても対応できる。
なお、このＵ−ＴＯＣセクター１ではスロットポインタP-EMPTY は使用していないスロットを管理するものである。つまり、上述したＵ−ＴＯＣセクター０のテーブルポインタP-EMPTY による未使用のパーツテーブルの管理方式と同様に未使用のスロットを管理している。
【００６５】
４．トラック分割動作。
続いて、記録再生装置３０による録音時のトラック分割動作について説明する。本実施例の記録再生装置３０では、録音時に、トラックマークキー３９又は４８を押すことで、そのタイミングで録音中のトラックを分割することができる。例えばマイクロホン５０を接続して会議等を録音している際に、所要のタイミングでトラックマークキー３９又は４８を押すと、その時点からの録音内容は新たなトラックナンバが付されたトラックとして記録されることになる。
そしてさらに本実施例ではトラックマークキー３９又は４８で単にトラックを分割していくことだけでなく、ユーザーは任意のトラックを重要トラックとしてプライオリティを与え、他のトラックと区別されて録音するようにすることができる。
【００６６】
図４はシステムコントローラ１１の録音時の処理を示している。なお図４では特にＵ−ＴＯＣ編集にかかる処理のみをあげており、基本的な録音時の制御、例えば光学ヘッド３の立ち上げやアクセス、データ転送処理などについては省略してある。また、表示部２２に対する表示制御については図５、図６を用いて説明する。
【００６７】
録音操作がなされると、システムコントローラ１１はまず録音されるトラックのトラックナンバＴＮＯR として、Ｕ−ＴＯＣセクター０に記録されている最後のトラックのトラックナンバ（Last TNO）に１を加えた値を設定する(F101)。ディスクがバージンディスクであれば録音トラックナンバＴＮＯR ＝１となり、また例えば３トラック録音済のディスクであれば録音トラックナンバＴＮＯR ＝４となる。
そして、例えばマイクロホン５０からの音声を録音データとし、録音トラックナンバＴＮＯR のトラックとしてディスクに録音していく(F102)。つまり、Ｕ−ＴＯＣセクター０からディスク上のフリーエリアを探してアクセスさせ、その位置をトラックＴＮＯR のスタートアドレスとして録音を開始する。
【００６８】
録音時の表示部２２の表示は図５（ａ）のようになる。６０は録音動作状態表示部である。６１はレベル表示部であり、録音時には入力レベルの表示となる。６２はステレオモード表示部、６３はバッテリー残量表示部である。
６４はディスクを模した表示セグメントでなる動作状態表示部であり、内側の６つのうちで対向する２つのセグメントづつに、順番に点灯されていくことで、あたかもディスクが回転しているような表示がなされる。録音時にはディスクが低速で回転している状態に制御されるとともに、外周側のセグメントが点滅表示される。
【００６９】
６５は時間表示部であり、録音中には『ＲＥＣ  ＲＥＭＡＩＮ』の表示とともに録音可能な残り時間が表示されることになる。
また６６はトラックナンバ表示部であり、この例では録音トラックナンバＴＮＯR ＝２とされている時の状態が示されている。
６７はディスクに対する録音済時間、現在位置、残量などを視覚的に表現するディスク使用状況表示部である。ディスク使用状況表示部６７としては例えば２０個のセグメントが用意され、２０個全部が点灯されていることで、ディスクの全容量に録音がなされていることが表現される。つまり、その時点の録音量に応じて点灯セグメント数が制御される。図５の例では黒で塗り潰したセグメントが点灯中のセグメントとしている。白抜きのセグメントは実際には点灯されていないセグメントである。また、現在のヘッド位置はセグメントの点滅で表現される。図では点滅状態のセグメントを星マークとして示している。
【００７０】
システムコントローラ１１は、録音中にはトラックマークキー３９又は４８の操作を監視しており(F103)、トラックマークキー３９又は４８の操作がなされたら、処理をステップF104に進め、その操作が重要トラックマークの操作であったか否かを確認する。本実施例では通常のトラックマーク操作はトラックマークキー３９又は４８を１回押すものとし、重要トラックマーク操作はトラックマークキー３９又は４８を２回連続して押すものとする。
【００７１】
トラックマークキー３９又は４８が１回おされた操作であった場合は、通常のトラック分割の処理として、ステップF105に進み、録音トラックナンバＴＮＯR をインクリメントする。そしてバッファＲＡＭ１３内でトラック分割の処理を行なう(F106)。つまり、トラックマークキー３９又は４８が押された時点のアドレスを、それまで録音していたトラック（録音トラックナンバＴＮＯR −１）のエンドアドレスとし、その次のアドレスをこれから録音していくトラック（録音トラックナンバＴＮＯR ）のスタートアドレスとする更新処理を行なう。
これによってその時点からの録音内容は新たなトラックとして録音されることになる。
【００７２】
表示制御としては、トラックマークキー３９又は４８が押された時点で、図５（ｂ）のようにトラックナンバ表示部６６に『ＭＡＲＫ  ＯＮ』という表示を約１秒間表示させる。なお、このとき動作状態表示部６４はディスクが高速で回転しているような表示状態となる。
その後、図５（ｃ）のようにトラックナンバ表示部６６に、それまでのトラックナンバ『００２』にかえて新たなトラックナンバ『００３』を表示させる。また動作状態表示部６４のディスク回転状態は通常の録音時の低速回転となる。
【００７３】
一方、ステップF104でトラックマークキー３９又は４８が２回連続で押されたと判断された場合は、重要トラック分割の処理として、ステップF107に進む。まず録音トラックナンバＴＮＯR をインクリメントする。そしてバッファＲＡＭ１３内でＵ−ＴＯＣセクター０に対するトラック分割の処理を行なう(F108)。これは通常のトラック分割の場合と同様で、トラックマークキー３９又は４８が押された時点のアドレスを、それまで録音していたトラック（録音トラックナンバＴＮＯR −１）のエンドアドレスとし、その次のアドレスをこれから録音していくトラック（録音トラックナンバＴＮＯR ）のスタートアドレスとする更新処理を行なう。これによってその時点からの録音内容は新たなトラックとして録音されることになる。
【００７４】
さらに重要トラック分割の場合は、ステップF109において、Ｕ−ＴＯＣセクター１に対する処理を行なう。これは、Ｕ−ＴＯＣセクター１における録音トラックナンバＴＮＯR に対応するスロット、つまりテーブルポインタP-TNA(TNOR) によって或る文字スロットを指定させ、その文字スロットに『！！』というアスキーコードを書き込む。本実施例では『！！』という文字列を重要トラックの識別コードとしている。
【００７５】
このときの表示制御としては図６のようになる。図６（ａ）のように録音トラックナンバＴＮＯR ＝２で録音動作に応じた表示がされていたときにトラックマークキー３９又は４８が２回連続で押されたら、図６（ｂ）のようにトラックナンバ表示部６６に『！ＭＡＲＫ  ＯＮ！』という表示を約１秒間表示させる。つまり、通常の『ＭＡＲＫ  ＯＮ』に加えて『！！』が表示されることで、重要トラック分割が行なわれたことが表示される。このとき動作状態表示部６４はディスクが高速で回転しているような表示状態となる。
その後、図６（ｃ）のようにトラックナンバ表示部６６に、それまでのトラックナンバ『００２』にかえて新たなトラックナンバとして『００３』を表示させることになるが、この場合、トラック３は重要トラックとして指定されたため、表示は『００３！！』となる。また動作状態表示部６４は通常の録音時のとおりディスクが低速で回転しているような表示状態となる。
【００７６】
録音中に停止キー３６又は４６がおされたら(F110)、システムコントローラ１１は録音動作を停止させる制御を行なう(F111)。そしてバッファＲＡＭ１３内のＵ−ＴＯＣセクター０に対して、その時点のアドレスをそのときの録音トラックナンバＴＮＯR に対応するエンドアドレスとする処理を行なう(F112)。
そして、バッファＲＡＭ１３内で録音動作に伴ったＵ−ＴＯＣの更新処理が終了したら、そのＵ−ＴＯＣデータをディスク１に書き込むことになる(F113)。
ここでさらに、システムコントローラ１１はＵ−ＴＯＣセクター１において『！！』という識別コードが記録されているトラックナンバを判別し、そのトラックナンバ（重要トラックナンバ）をＳ−ＲＡＭ１１ａに記憶させる処理を行なう(F114)。
以上で録音処理を終了する。
【００７７】
ここで、バージンディスクに対して図７に示すように録音操作（ＲＥＣ）で録音が開始され、トラックマークキー３９又は４８によるトラック分割操作（Ｎ−ＴＭ）及び重要トラック分割操作（ＩＰ−ＴＭ）がなされた後、停止操作（ＳＴＯＰ）がなされて録音終了したとする。
すると、図示するようにトラック１〜トラック４までが録音されたことになり、さらに、トラック２，トラック４については重要トラック分割操作（ＩＰ−ＴＭ）で分割されたことにより、Ｕ−ＴＯＣセクター１上で識別コード『！！』が付され、重要トラックとして位置付けられていることになる。
この場合のＵ−ＴＯＣ状態を図８、図９に示す。
【００７８】
今、ディスク上のアドレスを図７のようにＡ0 〜Ａ9 で示すと、Ｕ−ＴＯＣセクター０では図８のように管理される。
つまり、トラック１についてはテーブルポインタP-TNO1から例えばパーツテーブル(O1h) が指定され、パーツテーブル(O1h) にトラック１のスタートアドレスＡ0 、エンドアドレスＡ1 が記録される。トラック２〜トラック４についても、それぞれテーブルポインタP-TNO2〜P-TNO4で示されるパーツテーブルに、スタートアドレス及びエンドアドレスが記録されていることになる。また、アドレスＡ8 〜Ａ9 まではフリーエリアであるため、テーブルポインタP-FRA で示されるパーツテーブル(05h) に、そのスタートアドレスＡ8 、エンドアドレスＡ9 が記録されている状態となる。
このＵ−ＴＯＣセクター０では通常トラックと重要トラックの区別はされておらず、その区別、つまり識別コード『！！』はＵ−ＴＯＣセクター１に記録される。
【００７９】
図９に示すように、トラック２及びトラック４について重要トラック指定がされた場合は、トラック２，トラック４に対応するスロットポインタP-TNA2,P-TNA4 で或る文字スロットが指定される。ここではスロットポインタP-TNA2で文字スロット(01h) が指定され、スロットポインタP-TNA4で文字スロット(02h) が指定されている。そして、これらの文字スロットには『！！』の文字がアスキーコードで記録されていることになる。
【００８０】
なお、この図９は文字入力が全く行なわれていない状態であり、ユーザーによって各トラックに対応する文字入力がなされた場合は、その文字が文字スロットに記録されていくことになる。ここで、識別コード『！！』が付されているトラックに付いての文字入力が行なわれた場合は、入力文字は『！！』とともに記録されることになる。例えばトラック２について『ＡＢＣ』というトラックネームが入力された場合、文字スロットに記録される文字は『！！ＡＢＣ』又は『ＡＢＣ！！』となる。
【００８１】
なお以上のような、重要トラックの指定は、録音時のトラックマークキー３９，３８の連続操作で行なうものとしたが、録音時以外の編集処理でトラック分割を実行するときも、当然重要トラックの指定をすることができる。編集時の重要トラック指定により、図７のようなトラック状態となった場合も、Ｕ−ＴＯＣ管理状態は同様に例えば図８、図９のようになる。
【００８２】
５．再生時のアクセス動作。
上記のように重要トラック指定がされることで、本実施例の記録再生装置３０は、重要トラックのみについてのサーチ動作を実行することができる。以下、この動作について説明する。なお、現在のディスクのトラック状態が図７のようになっている場合を例にあげて説明を行なう。
【００８３】
図１０は再生時のシステムコントローラ１１の処理、図１１、図１２は再生時にシステムコントローラ１１によって制御される表示部２２の表示状態を示す。  再生操作がなされた場合、まだ現在装填されているディスクについてＴＯＣ情報を読み込んでいない場合は、まずＴＯＣ情報の読込を行なう(F201)。読み込んだＴＯＣ情報はバッファＲＡＭ１３のＴＯＣ用のエリアに記憶される。
【００８４】
ここでシステムコントローラ１１はＴＯＣ情報のうちのＵ−ＴＯＣセクター１から、識別コード『！！』の付されているトラックを判別し、そのトラックナンバを重要トラックとしてＳ−ＲＡＭ１１ａに記憶する。なお、文字情報が入力され、文字スロットに記録される文字が『！！ＡＢＣ』のようになっている場合もあるため、『！！』を含む文字情報が記録されているトラックを重要トラックと判別することになる。なお、この処理は図４のステップF114の処理と同じであり、録音後ディスクが入れ換えられずに再生される場合は不要となる。
【００８５】
続いて再生を開始する。通常はトラック１から再生を開始するため、まず再生トラックナンバＴＮＯP ＝１とし(F203)、トラック１からの再生を開始する(F204)。この再生動作としては、トラック１の再生が終れば引き続きトラック２の再生に進み、図示していないがその時点で再生トラックナンバＴＮＯP はインクリメントされることになる。
【００８６】
再生中の表示動作は図１１（ａ）のようになり、レベル表示部６１では再生出力レベルが表示されることになる。また、ステレオモード表示部６２、バッテリー残量表示部６３で所要の表示がなされる。
ディスク形状の動作状態表示部６４では、録音時と同様に内側の６つのうちで対向する２つのセグメントづつに、順番に点灯されていくことで、あたかもディスクが回転しているような表示がなされる。この再生時にはディスクが低速で回転している状態に制御される。ただし外周側のセグメントは録音時とは異なって継続点灯状態とされる。
【００８７】
時間表示部６５では再生中には現在再生中のトラックの進行時間が表示されることになる。
またトラックナンバ表示部６６では、再生中のトラックノトラックナンバが示される。この例では再生トラックナンバＴＮＯP ＝１のときの状態が示されている。
ディスク使用状況表示部６７では点灯しているセグメント（黒塗り部分）によってそのディスクに記録されているデータ量が表示され、現在の再生位置はセグメントの点滅（星マーク）で示される。
【００８８】
再生中にＡＭＳキー３４又は３５（もしくはキー４５による操作）が押された場合は、処理はステップF205からF206に進む。
そして、そのＡＭＳ操作（トラックアクセス操作）が重要トラック指定のＡＭＳ操作であったか否かを判断する。ここでは、ＡＭＳキー３４又は３５と、再生キー３３が同時に押された場合が重要トラック指定のＡＭＳ操作となるものとする。
【００８９】
通常のＡＭＳ操作であったら、ステップF207でＡＭＳ方向を判断し、つまりＡＭＳキー３４の操作であったら、次のトラックをアクセスする操作であるため、ステップF208に進んで再生トラックナンバＴＮＯP をインクリメントし、その再生トラックナンバＴＮＯP のスタートアドレスをＵ−ＴＯＣセクター０から判別してアクセスを実行させる(F213)。そして次のトラックの頭だしアクセスが終了したらステップF204で、その場所からの再生を開始することになる。
また、ＡＭＳキー３５の操作であったら、戻り方向へのトラック先頭位置へのアクセス操作である。このため、現在が或るトラックの途中の位置であれば、現在のトラックの先頭に戻ることになり、ステップF209からF213に進んでアクセスを行ない、ステップF204で再生を開始する。また現在が或るトラックの先頭位置にあるときのＡＭＳキー３５の操作であったら、１つ前のトラックの先頭位置へのアクセス操作となる。このためにステップF210で再生トラックナンバＴＮＯP をデクリメントし、F213に進んでアクセスを行ない、ステップF204で再生を開始する。
【００９０】
このときの表示状態は図１１のようになる。
例えば図１１（ａ）のようにトラック１を再生中の状態でＡＭＳキー３４が操作された場合は、トラック２へのアクセスが行なわれるが、このアクセス期間は図１１（ｂ）のように、時間表示部６５は消灯され、トラックナンバ表示部６６に現在アクセスを行なっているトラックナンバが表示される。なお、図７のようにトラック２が重要トラック指定されているため、トラックナンバ『００２』とともに『！！』が表示される。またこのときアクセス動作を表現するために、ディスク形状の動作状態表示部６４ではディスクが高速で回転するような表示とされる。
【００９１】
そしてアクセスが終了してトラック２の再生が開始される時点では、図１１（ｂ）のようになり、動作状態表示部６４では低速回転で再生動作が表現され、またトラックの先頭であるため時間表示部６５は、０分０秒から表示を開始する。ディスク使用状況表示部６７ではトラック２の先頭位置に応じたセグメントが点滅される。
【００９２】
また、さらにＡＭＳキー３４が操作されたら、図１１（ｄ）のようにトラック３へのアクセス動作を示す表示が行なわれ、アクセス終了後、図１１（ｅ）のようにトラック３の先頭からの再生動作に対応する表示が行なわれる。トラック３は重要トラックではないため『！！』は表示されない。
【００９３】
一方、ステップF206でＡＭＳ操作が重要トラック指定を伴う操作、つまりＡＭＳキー３４又は３５と再生キー３３が同時に押されていた場合は、ステップF211で、アクセスすべきトラックを判別する。上述したようにＳ−ＲＡＭ１１ａには重要指定されたトラックのトラックナンバが読み込まれているため、システムコントローラ１１はそのデータからアクセスすべきトラックを判別する。つまり、重要トラックのみのアクセスを実行する。
【００９４】
例えば図７のディスクに対してトラック１を再生中にＡＭＳキー３４と再生キー３３が同時に押された場合は、アクセスすべきトラックはトラック２となる。トラック２の再生中であれば、アクセスすべきトラックはトラック４となる。
また、ＡＭＳキー３５と再生キー３３が同時に押された場合で、現在トラック３の再生中であったら、アクセス地点はトラック３の先頭ではなくトラック２の先頭位置となる。
【００９５】
ＡＭＳアクセス方向とＳ−ＲＡＭ１１ａに読み込まれた重要トラックナンバにより、アクセスすべきトラックが判別されたら、そのトラックナンバを再生トラックナンバＴＮＯP としてセットする。
そしてその再生トラックナンバＴＮＯP のスタートアドレスをＵ−ＴＯＣセクター０から判別してアクセスを実行させ(F213)、トラックの頭だしアクセスが終了したらステップF204で、その場所からの再生を開始することになる。
つまり、以上の動作により現在の再生位置より前方又は後方において重要トラックとされたトラックの先頭位置がサーチされることになり、ユーザーは録音時などに或るトラックを重要トラック指定しておけば、容易にそのトラックの再生を行なうことができるようになる。
【００９６】
このときの表示動作は基本的には図１１と同様である。即ち図１２（ａ）にしめされるようにトラック１の再生中に重要トラック指定のＡＭＳ操作がなされたら、図１２（ｂ）のように次の重要トラックであるトラック２のアクセス状態が表示される。このときトラックナンバ表示部は『００２！！』となる。
【００９７】
そしてアクセスが終了してトラック２の再生が開始される時点では、図１２（ｃ）のようになり、トラック２の再生動作に応じた表示がなされる。
ここで、さらにＡＭＳキー３４と再生キー３３の同時操作がされたら、次のアクセスはトラック４に対するアクセスとなるため、図１２（ｄ）のようにトラック４へのアクセス動作を示す表示が行なわれ、アクセス終了後、図１２（ｅ）のようにトラック４の先頭からの再生動作に対応する表示が行なわれる。トラック４は重要トラックではあるため図１２（ｄ）（ｅ）の時点でトラックナンバ表示部は『００４！！』とされることになる。
【００９８】
以上のように本実施例では、録音時や編集時に或るトラックに付いて重要トラック指定をしておくことで、再生時には重要トラック指定のアクセス操作により、簡単にそのトラックを再生させることができ、非常に便利なものとなる。また、重要トラックについては指定時や再生時について表示部で表示されるため、ユーザーにとって操作確認や指定状態確認に好適である。
また、実施例では重要トラックの指定操作手段としてトラックマークキー３９、４８を用いているため、専用の操作キーを設ける必要はない。また重要トラック指定のアクセス操作についても、ＡＭＳキー３４又は３５と再生キー３３を同時操作するようにしているため専用の操作キーを設ける必要はない。
【００９９】
なお、実施例では『！！』を重要トラックの識別コードとしたが、もちろんこれに限られるものではない。例えば『ＩＭＰＯＲＴＡＮＴ』等の文字列としてもよい。また表示部における表示も、重要トラックであることを示すことができるものであれば、どのような表示態様でもよい。
また、録音中の重要トラックの指定はトラック分割時点のみではなく、例えば或るトラックの録音実行中に、そのトラックについてトラック分割を行なうこと
なく、重要トラック指定ができるようにしてもよい。
また、トラック分割時に、これから記録するトラックではなく、それまで録音してきたトラックが重要トラックとして指定されるようにしてもよい。
【図面の簡単な説明】
【０１００】
【図１】本発明の実施例の記録再生装置の外観の説明図である。
【図２】実施例の記録再生装置のブロック図である。
【図３】実施例の記録再生装置のバッファＲＡＭの使用形態の説明図である。
【図４】実施例の記録再生装置の記録時のトラック分割処理のフローチャートである。
【図５】実施例の記録再生装置のトラック分割処理の際の表示動作の説明図である。
【図６】実施例の記録再生装置のトラック分割処理の際の表示動作の説明図である。
【図７】実施例の記録再生装置により記録されたトラック状態例の説明図である。
【図８】実施例の記録再生装置により記録されたトラック状態の管理情報例の説明図である。
【図９】実施例の記録再生装置により記録されたトラック状態の管理情報例の説明図である。
【図１０】実施例の記録再生装置による再生時のアクセス動作処理のフローチャートである。
【図１１】実施例の記録再生装置のアクセス時の表示動作の説明図である。
【図１２】実施例の記録再生装置のアクセス時の表示動作の説明図である。
【図１３】ディスクのＰ−ＴＯＣセクター０の説明図である。
【図１４】ディスクのＵ−ＴＯＣセクター０の説明図である。
【図１５】ディスクのＵ−ＴＯＣセクター０のリンク形態の説明図である。
【図１６】ディスクのＵ−ＴＯＣセクター１の説明図である。
【符号の説明】
【０１０１】
１  ディスク
３  光学ヘッド
６ａ  磁気ヘッド
１１  システムコントローラ
１２  メモリコントローラ
１３  バッファＲＡＭ
２１  操作部
２２  表示部
３０  記録再生装置
３３  再生キー
３４，３５  ＡＭＳキー
３９，４８  トラックマークキー
４１  録音キー
４５  再生／ＡＭＳキー
６６  トラックナンバ表示部
【図１】
2004355811.tif 000003
【図２】
2004355811.tif 000004
【図３】
2004355811.tif 000005
【図４】
2004355811.tif 000006
【図５】
2004355811.tif 000007
【図６】
2004355811.tif 000008
【図７】
2004355811.tif 000009
【図８】
2004355811.tif 000010
【図９】
2004355811.tif 000011
【図１０】
2004355811.tif 000012
【図１１】
2004355811.tif 000013
【図１２】
2004355811.tif 000014
【図１３】
2004355811.tif 000015
【図１４】
2004355811.tif 000016
【図１５】
2004355811.tif 000017
【図１６】
2004355811.tif 000018